(57)【要約】【課題】  弾丸を発射するのみならず、安全性を確保しながらも、弾丸発射時におけるリアルな火薬の爆発音を生じさせることが可能な模擬銃を提供する。【解決手段】  圧縮エアにより回転式弾倉６内の弾丸を発射する回転式拳銃の模擬銃１であって、回転式弾倉６は銃口１２とは反対側の面６ｃにおいて、各々の弾丸装填孔６ｅの近傍において火薬を装填可能な火薬装填孔６ｇが弾丸装填孔と同数配され、ハンマー３が火薬装填孔に装填された火薬に対して衝撃を加えることが可能な火薬打叩部３ｂが連接されており、ハンマーが引き下げられた状態において、トリガー５を引くことにより、スプリングの圧縮が開放されて、引き下げ前の位置にスプリングに付勢されながら戻り、火薬打叩部により火薬に衝撃が加えられて、弾丸の発射とともに、火薬が爆発する。【選択図】図１
0003217137.tif 000002
【実用新案登録請求の範囲】
【請求項１】
ハンマーを引き下げることによりポンプ内にエアを導入するとともにスプリングを圧縮し、トリガーを引くことにより、前記スプリングの圧縮を解除して前記エアを圧縮して、圧縮エアにより回転式弾倉内の弾丸を発射する回転式拳銃の模擬銃であって、
前記回転式弾倉は、銃口側の面から銃口とは反対側の面に対して貫通する前記弾丸を装填可能な弾丸装填孔が前記回転式弾倉の回転軸を中心として円環状の位置関係で複数配され、
かつ、前記銃口とは反対側の面において、各々の前記弾丸装填孔の近傍において前記回転式弾倉の回転軸を中心として円環状の位置関係で火薬を装填可能な火薬装填孔が前記弾丸装填孔と同数配され、
前記ハンマーは前記火薬装填孔に装填された前記火薬に対して衝撃を加えることが可能な火薬打叩部が連接されており、
引き下げられた状態において、前記トリガーを引くことにより、前記スプリングの圧縮が開放されて、引き下げ前の位置に当該スプリングに付勢されながら戻り、前記火薬打叩部により前記火薬に衝撃が加えられて、
前記弾丸の発射とともに、前記火薬が爆発することを特徴とする模擬銃。
【請求項２】
前記火薬は一端側が閉塞された筒状の容器内に予め収容されており、
前記火薬装填孔は、内部において、前記回転式弾倉の前記銃口とは反対側の面における開口部に対して突設された係合ピンを備え、
前記容器は、当該容器の開口部を介して前記係合ピンが嵌挿されて、前記火薬装填孔に固定されることを特徴とする請求項１に記載の模擬銃。
【請求項３】
前記回転式弾倉は、前記模擬銃のフレームに回転自在に固定されており、
前記ハンマーは前記フレームに引き下げ可能に固定されており、
当該フレームには、前記火薬打叩部の打叩動作による衝撃を前記火薬装填孔に装填された火薬に伝えることが可能な衝撃媒介部が配されており、
当該衝撃媒介部においては、前記フレームに対して媒介ピンが摺動自在に固定されていることを特徴とする請求項１又は請求項２に記載の模擬銃。
【請求項４】
前記火薬装填孔は前記回転式弾倉の側面に通じる排気孔を備えることを特徴とする請求項１乃至請求項３のうち、いずれか１に記載の模擬銃。
【請求項５】
前記火薬装填孔は、前記回転式弾倉の回転軸を中心として前記弾丸装填孔よりも外側であって、複数の当該弾丸装填孔の間に配されることを特徴とする請求項１乃至請求項４のうち、いずれか１に記載の模擬銃。
【考案の詳細な説明】
【技術分野】
【０００１】
本考案は、弾丸を発射するのみならず、安全性を確保しながらも、弾丸発射時におけるリアルな火薬の爆発音を生じさせることが可能な模擬銃に関する。
【背景技術】
【０００２】
エアガンと称される模擬銃としては、ハンマーを引き下げることによりポンプ内にエアを導入するとともに、スプリングを圧縮し、トリガーを引くことによりスプリングの圧縮を解除して、スプリングの蓄圧を開放することによりポンプ内のエアを圧縮して圧縮エアを生成し、この圧縮エアで回転式弾倉内の弾丸を発射する回転式拳銃の模擬銃が知られている（特許文献１）。
【先行技術文献】
【特許文献】
【０００３】
【特許文献１】登録実用新案第３２０７９４２号公報
【考案の概要】
【考案が解決しようとする課題】
【０００４】
この場合、模擬銃は如何に実銃の雰囲気を再現するかが、商品価値を高めるポイントの一つとなっており、模擬銃の各メーカーはその点を踏まえ、日々開発を行っている。この場合、特許文献１に開示されるような圧縮エアにより弾丸を発射する構成の模擬銃は、実銃のように火薬で弾丸を発射するものではないため、発射時における発射音、即ち、火薬の爆発音の再現はできない。
【０００５】
また、エアガンを始めとする模擬銃は、安全のため、業界団体等の自主規制によって、模擬銃の威力を規制している。また、同様に、火薬により模擬弾たる弾丸を発射することを規制している。
【０００６】
そこで本考案は、弾丸を発射するのみならず、安全性を確保しながらも、弾丸発射時におけるリアルな火薬の爆発音を生じさせることが可能な模擬銃を提供することを目的とする。
【課題を解決するための手段】
【０００７】
上記目的達成のため、本考案の模擬銃は、ハンマーを引き下げることによりポンプ内にエアを導入するとともにスプリングを圧縮し、トリガーを引くことにより、前記スプリングの圧縮を解除して前記エアを圧縮して、圧縮エアにより回転式弾倉内の弾丸を発射する回転式拳銃の模擬銃であって、前記回転式弾倉は、銃口側の面から銃口とは反対側の面に対して貫通する前記弾丸を装填可能な弾丸装填孔が前記回転式弾倉の回転軸を中心として円環状の位置関係で複数配され、かつ、前記銃口とは反対側の面において、各々の前記弾丸装填孔の近傍において前記回転式弾倉の回転軸を中心として円環状の位置関係で火薬を装填可能な火薬装填孔が前記弾丸装填孔と同数配され、前記ハンマーは前記火薬装填孔に装填された前記火薬に対して衝撃を加えることが可能な火薬打叩部が連接されており、引き下げられた状態において、前記トリガーを引くことにより、前記スプリングの圧縮が開放されて、引き下げ前の位置に当該スプリングに付勢されながら戻り、前記火薬打叩部により前記火薬に衝撃が加えられて、前記弾丸の発射とともに、前記火薬が爆発することを特徴とする。
【０００８】
また、本考案の前記火薬は一端側が閉塞された筒状の容器内に予め収容されており、前記火薬装填孔は、内部において、前記回転式弾倉の前記銃口とは反対側の面における開口部に対して突設された係合ピンを備え、前記容器は、当該容器の開口部を介して前記係合ピンが嵌挿されて、前記火薬装填孔に固定されることを特徴とする。
【０００９】
また、本考案の前記回転式弾倉は、前記模擬銃のフレームに回転自在に固定されており、前記ハンマーは前記フレームに引き下げ可能に固定されており、当該フレームには、前記火薬打叩部の打叩動作による衝撃を前記火薬装填孔に装填された火薬に伝えることが可能な衝撃媒介部が配されており、当該衝撃媒介部においては、前記フレームに対して媒介ピンが摺動自在に固定されていることを特徴とする。
【００１０】
また、本考案の前記火薬装填孔は前記回転式弾倉の側面に通じる排気孔を備えることを特徴とする。
【００１１】
また、本考案の前記火薬装填孔は、前記回転式弾倉の回転軸を中心として前記弾丸装填孔よりも外側であって、複数の当該弾丸装填孔の間に配されることを特徴とする。
【考案の効果】
【００１２】
本考案の模擬銃によれば、弾丸を発射するのみならず、安全性を確保しながらも、弾丸発射時におけるリアルな火薬の爆発音を生じさせることが可能であり、より魅力的な商品価値の高い模擬銃を提供可能である。
【００１３】
即ち、本考案によれば、トリガーを引くことにより、圧縮エアにより弾丸を飛ばすとともに、ハンマーに連接された火薬打叩部の打叩動作による衝撃により、火薬が爆発するため、実銃のようなリアルな爆発音を再現可能であるとともに、火薬はリアルな弾丸発射音を再現するのみに使用され、弾丸の発射はあくまで圧縮エアで行われることから、火薬が弾丸の発射に影響を与えるものではない。そのため、威力が高まるものではなく、安全に弾丸の発射及び実銃のような発射音の再現が可能であり、より魅力的な商品価値の高い模擬銃を提供可能である。
【図面の簡単な説明】
【００１４】
【図１】本考案の模擬銃について回転式弾倉を模擬銃のフレームの外部に位置させた状態の後方斜視図である。
【図２】図１の状態から回転式弾倉をフレーム内に収めた状態の左側面図であり、（ａ）はハンマーを引き下げた状態であり、（ｂ）はハンマーを戻した状態である。
【図３】図１の状態から回転式弾倉をフレーム内に収めた状態の平面図であり、（ａ）はハンマーを引き下げた状態であり、（ｂ）はハンマーを戻した状態である。
【図４】図１の状態の模擬銃についてハンマーを引き下げ銃口方向から見た前方斜視図である。
【図５】本考案に用いる容器に入った火薬を示す斜視図である。
【図６】図１の火薬装填孔付近を示す断面図であり、（ａ）は火薬を装填する前の状態であり、（ｂ）は火薬を装填後の状態である。
【図７】本考案の模擬銃の変形例を示す、回転式弾倉を模擬銃のフレームの外部に位置させた状態の後方斜視図である。
【図８】図５の容器に入った火薬の変形例を示す斜視図である。
【考案を実施するための形態】
【００１５】
以下、図面を参照して、本考案による模擬銃を実施するための形態について説明する。
【００１６】
本考案の模擬銃は、弾丸を発射するのみならず、安全性を確保しながらも、弾丸発射時におけるリアルな火薬の爆発音を生じさせることが可能であり、より魅力的な商品価値の高い模擬銃を提供するものである。
【００１７】
［模擬銃の構成］
模擬銃の概要を図1乃至図４を用いてまず説明する。図１は、本考案の模擬銃について回転式弾倉を模擬銃のフレームの外部に位置させた状態の後方斜視図である。図２は、図１の状態から回転式弾倉をフレーム内に収めた状態の左側面図であり、（ａ）はハンマーを引き下げた状態であり、（ｂ）はハンマーを戻した状態である。図３は、図１の状態から回転式弾倉をフレーム内に収めた状態の平面図であり、（ａ）はハンマーを引き下げた状態であり、（ｂ）はハンマーを戻した状態である。図４は、図１の状態の模擬銃についてハンマーを引き下げ銃口方向から見た前方斜視図である。尚、銃口１２に相対可能な方向を正面とする。
【００１８】
図１乃至図４に示すように、模擬銃１は、エアガンと称されるものであり、指置部３ａを用いて、ハンマー３を引き下げることにより、模擬銃１のグリップ１８内のポンプ（図示せず）の中にエアを導入するとともに、スプリング（図示せず）を圧縮し、トリガー５を引くことにより、スプリングの圧縮を解除して、スプリングの蓄圧を開放することにより、ポンプ内のエアを圧縮して圧縮エアを生成し、この圧縮エアで球状かつ樹脂等によって構成された模擬弾（図示せず）たる弾丸を発射するものである。
【００１９】
模擬銃１は、フレーム２に囲まれた開口部に収納可能な回転式弾倉６が、銃身１１の延伸方向と回転の中心軸が平行になる関係で回転自在に配されている。回転式弾倉６は、回転軸となるロッド９及びロッド９とフレーム２を連結するヨーク８を介して移動可能となっている。
【００２０】
即ち、回転式弾倉６はロッド９及びヨーク８を介して、図２及び図３に示すようにフレーム２に収納された状態の他、図１及び図４に示すように、フレーム２の外に位置する状態との間で、銃身１１の方向に対して垂直方向、即ち、模擬銃１の側面方向に移動可能である。
【００２１】
図１及び図４に示すように、銃身１１の先端には銃口１２が配され、模擬銃１から発射される模擬弾は、カートリッジ（図示せず）内に仮止めされ、そのカートリッジは、回転式弾倉６の銃口側の面６ａから銃口側との反対面６ｃにかけて貫通する弾丸装填孔６ｅの内部に格納される。
【００２２】
図１の円形の拡大部分に示すように、回転式弾倉６の銃口１２側の反対面６ｃの回転中心には、円盤状の空間に中心が凹んだ凹部６ｆが形成されており、凹部６ｆの周囲には、凹部６ｆから放射状に外側に線状に延び、凹部６ｆと面一の突部からなるラチェット６ｄが弾丸装填孔６ｅの数に応じて設けられている。
【００２３】
図４の円形の拡大部分に示すように、回転式弾倉６がフレーム２内に収納された場合に、回転式弾倉６の銃口１２側との反対面６ｃと対向する部分に、円盤状の突部から構成されるボルト１７が配されている。
【００２４】
ボルト１７は、その側方に設けられた、即ち、フレーム２の側面に設けられたラッチ７と、フレーム２の内部において連結固定されており（連結構造は図示せず）、ともに銃身１１の方向に沿ってスライド可能に構成されている。
【００２５】
即ち、ボルト１７及びラッチ７はともに、銃口１２側へ前進又は銃口１２とは反対側に後退可能に構成されており、互いに連結固定されたボルト１７とラッチ７は、フレーム２の内部において常時、銃口１１方向にバネ（図示せず）により付勢されている。
【００２６】
ボルト１７は、回転式弾倉６がフレーム２に収納された場合、回転式弾倉６の凹部６ｆに嵌挿されて、回転式弾倉６ｆを回転可能に軸支して固定するものであり、凹部６ｆとボルト１７は、回転式弾倉６が本体２の内部に収納された状態で対向するように（嵌挿されるように）互いに配されている。
【００２７】
ラッチ７は、図１及び図４に示すように、ローマ文字の大文字の「Ｔ」の字を９０°左に回転した如き形状をなし、「Ｔ」の字の末端部に相当する位置に指掛け部７ｂを配して（図４）、模擬銃１の使用者が指掛け部７ｂに指を掛けて、銃口１２と反対方向にラッチ７をスライドすることにより、ラッチ７自体及びラッチ７に連結固定されたボルト１７を銃口１２と反対方向にスライド可能に構成されている。
【００２８】
また、ラッチ７は、「Ｔ」の傘に当たる部分に凹状に凹んだ抵触部７ａが表面に設けられている（図４）。回転式弾倉６がフレーム２の外部に位置する状態から、本体２の内部に収納される状態に移行するにあたり、回転式弾倉６のラチェット６ｄがラッチ７の抵触部７ａに抵触して、その抵触により、ラッチ７及び連結固定されるボルト１７が銃口と反対方向に自動でスライドする構成となっている。
【００２９】
ボルト１７の上方には、回転式弾倉６の銃口側との反対面６ｃの弾丸装填孔６ｅに対抗し得る位置にエア噴出口１５が配されている。このエア噴出口１５から、圧縮エアが噴出して、弾丸装填孔６ｅ内のカートリッジに仮止めされた模擬弾がカートリッジから飛び出し、銃身１１を通過し、銃口１２から発射される。
【００３０】
図４の拡大部に示すように、ボルト１７の側方のやや下方には、送り爪１６が配されている。さらにその送り爪１６の下方にも、もう一つの送り爪１６が配されている。この２つの送り爪１６は、トリガー５に連動して、トリガー５を引くと、銃口１２方向に一時前進しつつ、上方に移動可能し、その後、当初の位置に戻るように構成されている。
【００３１】
回転式弾倉６がフレーム２の内部に収納された状態で、トリガー５が引かれることにより、２つの送り爪１６が銃口１２方向に一時前進しつつ、上方に移動することによって、２つの送り爪１６が回転式弾倉６の回転中心を軸支するボルト１７の周囲に位置することから、２つの送り爪１６が回転式弾倉６の隣り合うラチェット６ｄ各々に引っかかり、回転式弾倉６を回転させて、回転式弾倉６の次の弾丸装填孔６ｅが、エア噴出口１５の正面に位置するまで回転されることとなる。
【００３２】
また、トリガー５とハンマー３とは、フレーム２の内部で連結されており（連結構造は図示せず）、ハンマー３が引き下げられることにより、トリガー５も途中まで引かれた状態となり、回転式弾倉６が回転し、回転式弾倉６の次の弾丸装填孔６ｅが、エア噴出口１５の正面に位置するまで回転し、その状態でさらにトリガー５を使用者が引くと、ハンマー３によって圧縮されたスプリング（図示せず）の蓄圧が解除されて、模擬弾が発射される。また、その後、ハンマー３はスプリングの解放により、スプリングが基の形状に戻るのに連動して当初の位置に勢いよく復帰する。
【００３３】
尚、ハンマー３が引かれていない状態で、トリガー５のみを引くと、回転式弾倉６が次の弾丸装填孔６ｅがエア噴出口１５の正面に位置するまで回転し、トリガー５は図示しないバネの付勢力により、自ずと最初の位置に復帰する。
【００３４】
［爆発音再現機構の構成］
本考案の模擬銃１は、上述の構成の他に、弾丸発射とともに、リアルな爆発音を再現可能な機構を備えるものであり、火薬装填孔６ｇ、火薬打叩部３ｂ及び衝撃媒介部２２をさらに備える。その点について、図１乃至図４を用いて、以下に詳述する。
【００３５】
また、回転式弾倉６の銃口とは反対側の面６ｃには、火薬装填孔６ｇが設けられている。火薬装填孔６ｇは、各々の弾丸装填孔６ｅの近傍において回転式弾倉６の回転軸を中心として円環状の位置関係で配されており、具体的には、回転式弾倉６の回転軸を中心として弾丸装填孔６ｅよりも外側であって、複数の弾丸装填孔６ｇの間に弾丸装填孔６ｇと同数配されている。
【００３６】
火薬装填孔６ｇは、銃口とは反対側の面６ｃから銃口側の面６ａ方向に対して凹となって、内部に火薬を装填可能となっている。この火薬に衝撃が与えられることにより、爆発し、リアルな弾丸発射音が再現可能となる。
【００３７】
また、火薬装填孔６ｇに装填された火薬に衝撃を与えるため、図２及び図３に示すように、ハンマー３には、火薬打叩部３ｂが連接されている。火薬打叩部３ｂは、ハンマー３から模擬銃の側面方向（左側面方向）に延伸するプレートにより構成されている。
【００３８】
回転式弾倉６は、模擬銃１のフレーム２に回転自在に固定されており、ハンマー３はフレーム２に引き下げ可能に固定されているが、図２に示すように、左側面のフレーム２には、回転式弾倉６がフレーム２内部収納された状態において、ハンマー３と回転式弾倉６の銃口とは反対側の面６ｃの上部を結ぶ位置に、火薬打叩部３ｂの打叩動作による衝撃を火薬装填孔６ｇに装填された火薬に伝えることが可能な衝撃媒介部２２が配されている。
【００３９】
図２乃至図４に示すように、衝撃媒介部２２は、フレーム２に対して媒介ピン２２ａを摺動自在に固定して構成されており、媒介ピン２２ａの銃口と反対側の末端部２２ａ２がハンマー３に連接された火薬打叩部３ｂにより勢いよく打叩されると、媒介ピン２２ａが銃口１２方向に対して勢いよく銃口１２の方向に摺動する。即ち、図２（ａ）及び図３（ａ）の状態から図２（ｂ）及び図３（ｂ）の状態となる。
【００４０】
そのため、媒介ピン２２ａは、末端部２２ａ２が火薬打叩部３ｂにより勢いよく打叩されると、先端部２２ａ１が発射される弾丸が装填された弾丸装填部６ｅの右隣に位置する火薬装填孔６ｇに装填された火薬を打叩して、火薬打叩部３ｂからの衝撃を火薬に伝えて、火薬を爆発させることが可能である。
【００４１】
即ち、ハンマー３が引下げられた状態でトリガー５を引くことによって、ハンマー３の引き下げにより圧縮されているスプリングの圧縮が解放され、スプリングが基の形状に戻るのに連動してハンマー３が当初の位置に勢いよく復帰する。このハンマー３が勢いよく復帰する動作により、火薬打叩部３ｂにより、衝撃媒介部２２を介して、火薬装填孔６ｇに装填された火薬を打叩して、ハンマー３からの衝撃を火薬に伝えて爆発させてリアルな発射音を再現するものである。
【００４２】
尚、媒介ピン２２ａは、フレーム２に対して摺動可能に固定されているとともに、フレーム２から脱落しないように固定されており、かつ、図示しないスプリングにより常時、銃口１２とは反対側に付勢されており、火薬打叩部３ｂによる打叩があった場合のみ銃口２方向に進出する。
【００４３】
尚、衝撃媒介部２２を設けることなく、火薬打叩部３ｂの形状を変更することにより、火薬打叩部３ｂによって、直接、火薬装填孔６ｇに装填された火薬を打叩し、衝撃を与えて爆発させる構成とすることも当然可能である。
【００４４】
［火薬及び火薬装填孔］
火薬及び火薬装填孔について、図１に対して、図５及び図６を加えて詳述する。図５は、本考案に用いる容器に入った火薬を示す斜視図である。図６は、図１の火薬装填孔付近を示す断面図であり、（ａ）は火薬を装填する前の状態であり、（ｂ）は火薬を装填後の状態である。
【００４５】
図５に示すように、火薬２５は、一端が閉塞された円筒状の樹脂製容器の内部に収められている。また、図１及び図６に示すように、火薬装填孔６ｇは、凹部内に、回転式弾倉６の銃口とは反対側の面６ｃにおける開口部６ｇ１に対して突設された係合ピン６ｇ２が植設されている。
【００４６】
また、図１及び図６に示すように、火薬装填孔６ｇは、火薬２５の爆発により生じる煙や衝撃を逃がすべく、凹部内と回転式弾倉６の側面６ｂを繋げる排気孔６ｇ３を備えている。
【００４７】
尚、火薬装填孔６ｇの内部は、火薬２５の爆発から回転式弾倉６を保護するべく、凹部の内側表面を金属部材６ｇ４で構成している。
【００４８】
図６に示すように、火薬装填孔６ｇにおいて、植設された係合ピン６ｇ２の先端側に対して、火薬２５が収容された容器２６の開口部２６ａを介して容器２６に係合ピン６ｇ２が嵌挿されて容器２６が火薬装填孔６ｇに固定される。
【００４９】
この状態で、火薬２５を収容した容器の閉塞面２６ｂが、衝撃媒介部２２の媒介ピン２２ａの先端部により２２ａ１により打叩されると、その衝撃により火薬２５が爆発し、リアルな発射音を再現可能となる。この場合、火薬２５の爆発により生じる煙や衝撃が排気孔６ｇ３を通じて外部へと逃がされる。
【００５０】
［爆発音再現機構の作用］
本考案の模擬銃１の爆発音再現機構は図２（ａ）及び図３（ａ）のように、回転式弾倉６がフレーム２内に収容された状態で、ハンマー３が引下げられた状態でトリガー５を引くことによって、ハンマー３の引き下げにより圧縮されているスプリングの圧縮が解除されて、ポンプ内のエアを圧縮して圧縮エアを生成し、この圧縮エアがエア噴出口１５（図４）により噴出し、回転式弾倉６の弾丸装填孔６ｅ内の模擬弾たる弾丸を発射する。この際、スプリングが基の形状に戻るのに連動してハンマー３が当初の位置に勢いよく復帰する。このハンマー３が勢いよく復帰する動作により、図２（ｂ）及び図３（ｂ）に示すように、火薬打叩部３ｂにより、衝撃媒介部２２の媒介ピン２２ａを介して、火薬装填孔６ｇに装填された火薬を打叩して、ハンマー３からの衝撃を火薬に伝えて爆発させてリアルは発射音を再現するものである。
【００５１】
従って、本考案の模擬銃１によれば、弾丸を発射するのみならず、安全性を確保しながらも、弾丸発射時におけるリアルな火薬の爆発音を生じさせることが可能であり、より魅力的な商品価値の高い模擬銃を提供可能である。
【００５２】
即ち、本考案の模擬銃１では、トリガー５を引くことにより、圧縮エアにより弾丸を飛ばすとともに、ハンマー３に連接された火薬打叩部３ｂの打叩動作による衝撃により、容器２６内の火薬２５が爆発するため、実銃のようなリアルな爆発音を再現可能であるとともに、火薬２５はリアルな弾丸発射音を再現するのみに使用され、弾丸の発射はあくまで圧縮エアで行われることから、火薬２５が弾丸の発射に影響を与えるものではないことから、威力が高まるものではなく、安全に弾丸の発射及び実銃のような発射音の再現が可能であり、より魅力的な商品価値の高い模擬銃を提供可能である。
【００５３】
［火薬収容容器の変形例］
火薬を収容した容器の変形例を図７及び図８を用いて説明する。図７は、本考案の模擬銃の変形例を示す、回転式弾倉を模擬銃のフレームの外部に位置させた状態の後方斜視図である。図８は、図５の容器に入った火薬の変形例を示す斜視図である。
【００５４】
図７及び図８に示す火薬を収容した容器の変形例は、容器２６同士を連結環体２６ｂにより連結した点のみ上述の実施形態と異なることから、同様の構成については説明を省略し、符号も同様のものを使用する。
【００５５】
図８に示すように、火薬２５が収容された容器２６は、他の容器２６と円環状に構成された連結環体２６ｂにより連結されており、６つの容器２６をひとまとめに取り扱える構成となっている。
【００５６】
図７に示すように連結環体２６ｂの存在を考慮して、回転式弾倉６の銃口とは反対側の面６ｃの外縁部には、連結環体２６ｂが抵触しないように、連結環体２６ｂと相補的な形状の環状溝部６ｈが形成されており、この環状溝部６ｈに連結環体２６ｂが接触することにより、複数（６つ）の火薬２５入り容器２６をひとまとめに火薬装填孔６ｇに装填することが可能となり、また同様に、取外しも連結環体２６ｂを用いてひとまとめに楽に行うことが可能である。尚、本変形例においても、上述した本考案の実施の形態において生じた効果をも奏することは当然である。
【００５７】
この考案は、その本質的特性から逸脱することなく数多くの形式のものとして具体化することができる。よって、上述した実施形態は専ら説明上のものであり、本考案を制限するものではないことは言うまでもない。
【００５８】
そのため、本考案の模擬銃１は、上述したように回転式弾倉６を備える回転式拳銃の模擬銃に適用されるものであり、上述のようなシングルアクションの回転式拳銃のみならず、トリガーを引くだけで弾丸の発射が可能なダブルアクションの回転式拳銃にも適用可能である。また、上述のような弾倉振出式（スイングアウト）の他に、中折れ式（トップブレイク）、固定式（ソリッドフレーム）の回転式拳銃にも適用可能である。
【符号の説明】
【００５９】
１        模擬銃
２        フレーム
３        ハンマー
３ａ      指置部
３ｂ      火薬打叩部
５        トリガー
６        回転式弾倉
６ａ      銃口側の面
６ｂ      側面
６ｃ      銃口とは反対側の面
６ｄ      ラチェット
６ｅ      弾丸装填孔
６ｆ      凹部
６ｇ      火薬装填孔
６ｇ１    開口部
６ｇ２    係合ピン
６ｇ３    排気孔
６ｇ４    金属部材
６ｈ      環状溝部
７        ラッチ
７ａ      抵触部
７ｂ      指掛け部
８        ヨーク
９        ロッド
１１      銃身
１２      銃口
１５      エア噴出口
１６      送り爪
１７      ボルト（突部）
１８      グリップ
２２      衝撃媒介部
２２ａ    媒介ピン
２２ａ１  先端部
２２ａ２  末端部
２５      火薬
２６      容器
２６ａ    開口部
２６ｂ    閉塞面
２６ｂ    連結環体
【図１】
0003217137.tif 000003
【図２】
0003217137.tif 000004
【図３】
0003217137.tif 000005
【図４】
0003217137.tif 000006
【図５】
0003217137.tif 000007
【図６】
0003217137.tif 000008
【図７】
0003217137.tif 000009
【図８】
0003217137.tif 000010